(57)【特許請求の範囲】
【請求項１】
道路地図を表示する表示手段と、施設等を示すランドマークを記憶している記憶手段と、該記憶手段に記憶されているランドマークを選択する選択手段とを有し、前記表示手段により表示された道路地図上の所定位置に前記選択手段により選択されたランドマークを表示するナビゲーション装置において、
少なくとも一つのプリセットキーと、
前記記憶手段に記憶されているランドマークの中から一括選択された複数種類の所望のランドマークを前記プリセットキーに対応させて記憶及び読み出し可能なプリセット手段と、
前記プリセットキーの操作により道路地図上の所定位置に表示される複数種類のランドマークの表示と非表示を切り替え可能とした表示／非表示切り替え手段と、
を備えたことを特徴とするナビゲーション装置。
【発明の詳細な説明】
【０００１】
【発明の属する技術分野】
本発明はナビゲーション装置に係わり、特に表示手段に、道路地図を表示すると共に、各種施設を示すランドマークを重ねて表示するナビゲーション装置に関する。
【０００２】
【従来の技術】
車両の走行案内を行い、運転者が所望の目的地に到達できるようにしたナビゲーション装置は、車両の位置を検出して、ＤＶＤ-ＲＯＭ等の記憶媒体から車両位置周辺の地図データを読み出し、地図画像をディスプレイ画面に描画すると共に各種施設を表すランドマークや地図画像上の所定箇所に車両位置マークを重ねて描画する。
【０００３】
しかしながら、従来のナビゲーション装置では、ユーザーが地図画像上にランドマークを表示したい場合、いくつかの操作処理によりランドマークを選択するメニュー画面を開き、多くのランドマークの中から所望のランドマークを選択しなければならないという煩わしさがある。又、ユーザーが所望のランドマークをむやみに追加してしまうと、地図画像上にランドマークが多数表示されてしまい、所望のランドマークを探し出すのに、時間がかかるという問題がある。更に、ランドマークが多数表示されていると、図７に示したように、例えば、同一地点付近にある駐車場のランドマークとガソリンスタンドのランドマークとが重なってしまい、見づらくなってしまうという問題もある。
以上から本発明の目的はユーザーが所望のランドマークを容易に地図画像上に表示／非表示できるナビゲーション装置を提供することにある。
【０００４】
【課題を解決するための手段】
上記課題は、本発明によれば、道路地図を表示する表示手段と、施設等を示すランドマークを記憶している記憶手段と、該記憶手段に記憶されているランドマークを選択する選択手段とを有し、前記表示手段により表示された道路地図上の所定位置に前記選択手段により選択されたランドマークを表示するナビゲーション装置において、少なくとも一つのプリセットキーと、前記記憶手段に記憶されているランドマークの中から一括選択された複数種類の所望のランドマークを前記プリセットキーに対応させて記憶及び読み出し可能なプリセット手段と、前記プリセットキーの操作により道路地図上の所定位置に表示される複数種類のランドマークの表示と非表示を切り替え可能とした表示／非表示切り替え手段とを備えたことにより達成される。
【０００６】
【発明の実施の形態】
（Ａ）本発明の概略説明
図１は本発明の概略説明図であり、表示させるランドマークがコンビニエンスストアとガソリンスタンドの場合の表示例である。２７は地図や自車位置を表示する表示装置、ＤＰは表示装置２７の表示画面、ＰＫは所望のランドマークをプリセットすると共に、ランドマークの表示／非表示を切り替えるプリセットキー、ＣＭは自車の現在位置を表す自車位置マークである。
【０００７】
図１（ａ）に示すように、表示画面ＤＰ上にコンビニエンスストアとガソリンスタンドのランドマーク表示が既にメニューより選択され、表示されている。ここで、プリセットキーＰＫを一定時間押下することでコンビニエンスストアとガソリンスタンドのランドマークをプリセットする。プリセット後は、プリセットキーＰＫを押す度に、コンビニエンスストアとガソリンスタンドのランドマークを表示（図１（ａ））／非表示（図１（ｂ））に切り替えることができる。
【０００８】
（Ｂ）本発明の第１実施例
（ａ）本発明第１実施例のナビゲーション装置の構成
図２は本発明第１実施例のナビゲーション装置の構成図である。図中、１１は地図情報やランドマークを記憶する地図記憶媒体で、例えばＤＶＤ-ＲＯＭ、１２はＤＶＤ-ＲＯＭからの地図情報の読み取りを制御するＤＶＤ-ＲＯＭ制御部、１３は車両の現在位置を測定する車両位置測定装置であり、移動距離を検出する車速センサー、移動方位を検出する角速度センサー、ＧＰＳレシーバ、位置計算用ＣＰＵ等で構成されている。１４はＤＶＤ-ＲＯＭ１１から読み出した地図情報を記憶する地図情報メモリ、１５はメニュー選択操作、拡大／縮小操作等を行うリモコン、１６はリモコンインタフェースである。
【０００９】
１７はナビゲーション装置全体を制御するプロセッサ（ＣＰＵ）、１８はランドマーク表示プログラムや誘導経路探索処理プログラム等の各種プログラムを記憶するＲＯＭ、１９は各種プログラムの処理結果を記憶するＲＡＭ、２０はランドマークのプリセットを制御するランドマークプリセット制御部であり、ランドマークの表示／非表示切り替えも制御する。構成は表示する所望のランドマークを記憶するランドマークプリセット記憶部２０ａと該記憶部２０ａに記憶されたランドマークの表示を切り替えるランドマークプリセット切替部２０ｂとからなる。
【００１０】
２１は地図画像を発生する地図画像発生部、２２は地図画像発生部２１が発生した地図画像を記憶するビデオＲＡＭ、２３はコンビニエンスストアやガソリンスタンド等のランドマークジャンルの選択等を行うための各種メニュー画像を発生するメニュー画像発生部、２４は誘導経路発生部であり、ＲＡＭ１９に記憶されている誘導経路探索処理プログラムの処理結果を使用している。２５は自車位置マークや選択されたランドマーク等のマーク発生部、２６は各種画像を合成して出力する画像合成部、２７は画像合成部２６から出力される画像を表示する表示装置であり、ランドマークをプリセットするためのプリセットキー２７ａを含む。２８はバスである。
【００１１】
（ｂ）本発明第１実施例のランドマークのデータ構成
図３は本発明第１実施例のランドマークのデータ構成例である。まずＤＶＤ-ＲＯＭ１１には（ａ）に示すようにポインタ１にはジャンルがコンビニエンスストアで、種類が００１，００２，００３，００４といった種類のランドマークが記憶されている。更に（ｂ）に示すように種類毎に名称、画像データが記憶されており、例えば種類が００１は名称がセブンイレブンで、画像データはＩＭＧ１というように構成されている。即ち階層構造になっている。そしてランドマークプリセット記憶部２０ａには（ｃ）に示すように、プリセットキー２７ａのプリセットキー毎に対応するポインタが記憶されている。例えばプリセットキーＮｏ．１には１、３のポインタが対応するので（ａ）に示した構成より、ポインタ１のコンビニエンスストアとポインタ３のファーストフードのランドマークが対応する。
【００１２】
（ｃ-１）本発明第１実施例のプリセット動作のフローチャート
図４は本発明第１実施例のプリセット動作のフローチャートであり、現在表示装置２７に表示されているランドマークをプリセットキー２７ａに対応させて記憶させるための処理を示している。
まず、プリセットキー２７ａが一定時間、例えば５秒押下されたか否かをランドマークプリセット制御部２０が判定し（ステップ１０１）、５秒以上押下されていない場合は押下されたプリセットキー２７ａに対応するランドマークを表示する（ステップ１０２）。一方、押下された場合は現在ランドマーク表示が表示装置２７にされているか否かをプロセッサ１７が判定し（ステップ１０３）、ランドマークの表示がされていない場合は処理を終了する。一方、ランドマークの表示がされている場合は、ランドマークプリセット制御部２０は、表示されているランドマークをランドマークプリセット記憶部２０ａにプリセットキー２７ａと対応させて記憶する（ステップ１０４）。
【００１３】
（ｃ−２）本発明第１実施例のプリセットキー押下動作のフローチャート
図５は本発明第１実施例のプリセットキー押下動作のフローチャートであり、プリセットキー２７ａに対応させたランドマークを地図画像上に表示する処理を示している。
まず、ランドマークプリセット制御部２０はプリセットキー２７ａが押下されたか否かを判定し（ステップ２０１）、押下されていない場合は処理を行わず待機する。一方、プリセットキー２７ａが押下された場合は、プリセットキーの何番が押下されたかを確認し（ステップ２０２）、次に、プロセッサ１７が表示装置２７に確認されたプリセットキーの番号に対応したランドマークが表示されているか否かを判定する（ステップ２０３）。ついで、表示されていない場合はランドマークプリセット切替部２０ｂにより、押下されたプリセットキー２７ａに対応するランドマークをランドマークプリセット記憶部２０ａより読み出し、読み出したランドマークに切り替えて表示装置２７に表示する（ステップ２０４）。一方、ランドマークが表示されている場合はランドマーク制御部２０は押下されたプリセットキー２７ａが現在表示されているランドマークに対応するプリセットキーか否かを判定し（ステップ２０５）、対応していないキーの場合はステップ２０４の処理を行う。一方、対応するキーの場合はランドマーク制御部２０は現在表示されているランドマークを非表示にする（ステップ２０６）。
【００１４】
（Ｂ）本発明の第２実施例
（ａ）本発明第２実施例のプリセット動作のフローチャート
図６は本発明第２実施例のプリセット動作のフローチャートであり、現在表示装置２７に表示されているランドマーク以外の、複数の種類のランドマークを一括でプリセットキー２７ａに対応させて記憶させるための処理を示している。尚、ナビゲーション装置の構成は図３と同様であり、ランドマークのデータ構成は図４と同様である。
【００１５】
まず、所望のランドマークを選択するためにメニュー画面（図８（ａ））より「変える」が選択され、ついで表示されるメニュー画面（図８（ｂ））より「表示ジャンル変更」が選択されると、図８（ｃ）に示すように、所望のランドマークを選択する選択画面が表示される。
【００１６】
次に、プロセッサ１７は所望のランドマークを選択画面（図８（ｃ））から複数の種類のランドマーク、例えば、コンビニエンスストアとガソリンスタンドとを一括で選択したか否かを判定し（ステップ３０１）、選択されていない場合は処理を行わず待機する。一方、一括で選択された場合は、選択されたコンビニエンスストアとガソリンスタンドのランドマーク（図８（ｄ））を表示装置２７に表示する（ステップ３０２）。ついで、ランドマークプリセット制御部２０はプリセットキー２７ａが一定時間、例えば５秒押下されたか否かを判定し（ステップ３０３）、押下されていない場合は処理を終了する。一方、押下された場合はランドマークプリセット制御部２０はランドマークプリセット記憶部２０ａに一括選択されたコンビニエンスストアとガソリンスタンドのランドマークをプリセットキー２７ａに対応させて記憶する（ステップ３０４）。
尚、実施例では表示装置２７にプリセットキー２７ａを設けたが、プリセットキーはリモコン１５に設けてもよい。
【００１７】
【発明の効果】
以上、本発明によれば、道路地図を表示する表示手段と、施設等を示すランドマークを記憶している記憶手段と、該記憶手段に記憶されているランドマークを選択する選択手段とを有し、前記表示手段により表示された道路地図上の所定位置に前記選択手段により選択されたランドマークを表示するナビゲーション装置において、少なくとも一つのプリセットキーと、前記記憶手段に記憶されているランドマークの中から一括選択された複数種類の所望のランドマークを前記プリセットキーに対応させて記憶及び読み出し可能なプリセット手段と、前記プリセットキーの操作により道路地図上の所定位置に表示される複数種類のランドマークの表示と非表示を切り替え可能とした表示／非表示切り替え手段とを備えたので、ユーザーは、状況により複数種類の所望のランドマークを地図画像上に容易に表示／非表示できる。
【図面の簡単な説明】
【図１】本発明の概略説明図である。
【図２】本発明第1実施例のナビゲーション装置の構成説明図である。
【図３】本発明第１実施例のランドマークのデータ構成である。
【図４】本発明第１実施例のプリセット動作のフローチャートである。
【図５】本発明第１実施例のプリセットキー押下動作のフローチャートである。
【図６】本発明第１実施例のプリセット動作のフローチャートである。
【図７】ランドマークを一括で記憶させるための手順の説明図である。
【図８】従来のランドマーク表示例である。
【符号の説明】
２７・・表示装置
ＰＫ・・プリセットキー
【図１】
0003884220.tif 000002
【図２】
0003884220.tif 000003
【図３】
0003884220.tif 000004
【図４】
0003884220.tif 000005
【図５】
0003884220.tif 000006
【図６】
0003884220.tif 000007
【図７】
0003884220.tif 000008
【図８】
0003884220.tif 000009